【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
複数のデータブロックを有する第１のデータブロック群に対する処理命令群であって、当該処理命令群を適用後の前記第１のデータブロック群が匿名化される処理命令群を順次受信し、
前記第１のデータブロック群に未適用の第１の処理命令群が所定の条件を満たす場合は、当該第１の処理命令群を前記第１のデータブロック群に適用し、
前記第１の処理命令群が前記所定の条件を満たさない場合は、当該第１の処理命令群を保持する、
処理を、コンピュータに実行させる情報処理プログラム。
【請求項２】
前記所定の条件が、
前記第１の処理命令群に含まれる処理命令の数が第１の閾値以上であるという第１の条件、前記第１の処理命令群に含まれる処理命令のうち隠蔽又は復元の処理命令の数に対する、前記第１の処理命令群に含まれる処理命令の数の割合が第２の閾値以上であるという第２の条件、又は前記第１の処理命令群に含まれる処理命令のうち隠蔽又は復元の処理命令以外の処理命令の数が第３の閾値以上であるという第３の条件を含む
請求項１記載の情報処理プログラム。
【請求項３】
前記所定の条件が、
前記第１の処理命令群が隠蔽又は復元の処理命令と隠蔽又は復元の処理命令以外の処理命令とを両方含むという第１の条件、又は前記第１の処理命令群が隠蔽又は復元の処理命令を含まないという第２の条件を含む
請求項１記載の情報処理プログラム。
【請求項４】
前記第１の処理命令群を保持する処理において、
前記第１の処理命令群が前記第１の条件及び前記第２の条件を満たさない場合、前記第１の処理命令群に含まれる処理命令の数が第１の閾値以上であるという第３の条件、前記第１の処理命令群に含まれる処理命令のうち隠蔽又は復元の処理命令の数に対する、前記第１の処理命令群に含まれる処理命令の数の割合が第２の閾値以上であるという第４の条件、又は前記第１の処理命令群に含まれる処理命令のうち隠蔽又は復元の処理命令以外の処理命令の数が第３の閾値以上であるという第５の条件が満たされるか判定し、
前記第３の条件、前記第４の条件、又は前記第５の条件が満たされる場合、前記第１の処理命令群を前記第１のデータブロック群に適用し、
前記第３の条件、前記第４の条件、及び前記第５の条件が満たされない場合、前記第１の処理命令群を保持する、
請求項３記載の情報処理プログラム。
【請求項５】
複数のデータブロックを有する第１のデータブロック群に対する処理命令群であって、当該処理命令群を適用後の前記第１のデータブロック群が匿名化される処理命令群を順次受信し、
前記第１のデータブロック群に未適用の第１の処理命令群が所定の条件を満たす場合は、当該第１の処理命令群を前記第１のデータブロック群に適用し、
前記第１の処理命令群が前記所定の条件を満たさない場合は、当該第１の処理命令群を保持する、
処理を、コンピュータが実行する情報処理方法。
【請求項６】
複数のデータブロックを有する第１のデータブロック群に対する処理命令群であって、当該処理命令群を適用後の前記第１のデータブロック群が匿名化される処理命令群を順次受信する受信部と、
前記第１のデータブロック群に未適用の第１の処理命令群が所定の条件を満たす場合は、当該第１の処理命令群を前記第１のデータブロック群に適用する適用部と、
前記第１の処理命令群が前記所定の条件を満たさない場合は、当該第１の処理命令群を保持する保持部と、
を有する情報処理装置。
【手続補正２】
【補正対象書類名】明細書
【補正対象項目名】００１２
【補正方法】変更
【補正の内容】
【００１２】
本技術に係る情報処理方法は、複数のデータブロックを有する第１のデータブロック群に対する処理命令群であって、当該処理命令群を適用後の第１のデータブロック群が匿名化される処理命令群を順次受信し、第１のデータブロック群に未適用の第１の処理命令群が所定の条件を満たす場合は、当該第１の処理命令群を第１のデータブロック群に適用し、第１の処理命令群が所定の条件を満たさない場合は、当該第１の処理命令群を保持する処理を含む。
【手続補正３】
【補正対象書類名】明細書
【補正対象項目名】００４２
【補正方法】変更
【補正の内容】
【００４２】
また、ターゲットシステム４は、ＤＢ４ａ及び処理実行部４ｂを有しており、ネットワーク９１を介して情報処理装置１００から処理命令を受信すると、処理実行部４ｂは、ＤＢ４ａに対して処理命令を実行する。また、ターゲットシステム５は、ＤＢ５ａ及び処理実行部５ｂを有しており、ネットワーク９１を介して情報処理装置１００から処理命令を受信すると、処理実行部５ｂは、ＤＢ５ａに対して処理命令を実行する。
【手続補正４】
【補正対象書類名】明細書
【補正対象項目名】００４６
【補正方法】変更
【補正の内容】
【００４６】
匿名化処理部１１０は、上で述べた（ａ）基本的な匿名化処理を実行する。そして、匿名化処理部１１０は、匿名化処理の処理結果と当該処理結果を反映させる処理内容とを含む処理命令を、処理命令制御部１２０に出力する。処理命令制御部１２０は、データ格納部１３０に処理命令を一時的に保管した上で、処理命令の出力タイミングを判断して、適切なタイミングにて処理命令を、ターゲットシステム４及び５に出力する。
【手続補正５】
【補正対象書類名】明細書
【補正対象項目名】００６４
【補正方法】変更
【補正の内容】
【００６４】
ターゲットシステム４及び５の処理実行部４ｂ及び５ｂは、情報処理装置１００から受信した処理命令群を順番にＤＢ４ａ及び５ａに対して実行する。そうすると、図２０の例では、図２３に示すようなデータが、ＤＢ４ａ及び５ａに蓄積されるようになる。図２３でも、センシティブ情報は省略されている。
【手続補正６】
【補正対象書類名】明細書
【補正対象項目名】０１０５
【補正方法】変更
【補正の内容】
【０１０５】
さらに、上記判断する処理が、第１の条件及び第２の条件を満たしていない場合、出力前の処理命令の数、出力前の処理命令のうち第１の種類の処理内容を含む処理命令の割合の逆数、又は出力前の処理命令のうち第１の種類とは異なる第２の種類の処理内容を含む処理命令の数が、閾値以上であるか否かを判断する処理をさらに含むようにしても良い。このようにすれば、データ更新の即時性と個人識別可能性の抑制とをバランスさせることができるようになる。
【手続補正７】
【補正対象書類名】明細書
【補正対象項目名】０１１５
【補正方法】変更
【補正の内容】
【０１１５】
（付記７）
所定の関係を有する複数のデータブロックが存在するか否かに基づき実行される匿名化処理がなされたデータブロックを格納するデータ格納部に格納されているデータブロックに対する処理命令であって、前記匿名化処理の処理結果と当該処理結果を反映させる処理の内容とを含む１又は複数の処理命令を取得する取得部と、
取得された前記１又は複数の処理命令を含む出力前の処理命令が所定の条件を満たしているか判断する判断部と、
前記所定の条件を満たしている場合には、前記出力前の処理命令を出力する出力部と、
を有し、
前記所定の条件を満たしていない場合には、前記出力前の処理命令が保持される
情報処理装置。
【手続補正８】
【補正対象書類名】図面
【補正対象項目名】図３０
【補正方法】変更
【補正の内容】
【図３０】
2014127037.tif 000001